(57)【要約】【課題】  使用者の指先を痛めることなく薬剤容器の開封作業を行なうことができる薬剤容器の開封具の提供を課題とする。【解決手段】  本体５０の長手方向の一端側には、薬剤容器のキャップ部材を外すための栓抜き部６０が形成されている。この栓抜き部６０は開口部６１と突起部６２とにより構成されている。この栓抜き部６０は、薬剤容器に封着されているキャップ部材を外すためのものである。本体５０の他端側には、薬剤容器の開封用のプルアップリングを引っ掛けるフック部７０が形成されている。【選択図】  図１
0003153404.tif 000002
【実用新案登録請求の範囲】
【請求項１】
略長方形の板状の本体の長手方向の一端側に、薬剤容器に封着されているキャップ部材を外す栓抜き部を構成する開口部と、該開口部の内側に向って突設された突起部であって前記キャップ部材の下端部に当接可能な突起部とが形成され、
前記本体の他端側に、薬剤容器の封着部材に具えられている開封用のプルアップリングと結合するフック部が形成されていることを特徴とする薬剤容器の開封具。
【請求項２】
前記本体に形成されている前記フック部は複数個であることを特徴とする請求項１に記載の薬剤容器の開封具。
【請求項３】
略長方形の板状の本体の長手方向の一端側に、薬剤容器に封着されているキャップ部材を外す栓抜き部を構成する開口部と、該開口部の内側に向って突設された突起部であって前記キャップ部材の下端部に当接可能な突起部とが形成され、
前記本体の他端側に、薬剤容器の封着部材に具えられている開封用のプルアップリングの内側に挿入可能なリング挿入部が前記本体の長手方向に延在するように形成されていることを特徴とする薬剤容器の開封具。
【請求項４】
略長方形の板状の本体の長手方向の一端側に、薬剤容器に封着されているキャップ部材を外す栓抜き部を構成する開口部と、該開口部の内側に向って突設された突起部であって前記キャップ部材の下端部に当接可能な突起部とが形成され、
前記本体の他端側に、薬剤容器の封着部材に具えられている開封用のプルアップリングと前記封着部材との連結部が挿入可能な溝部を有するリング係合部が形成されていることを特徴とする薬剤容器の開封具。
【請求項５】
前記本体には、板状の磁石が配設されていることを特徴とする請求項１ないし請求項４のいずれかの請求項に記載の薬剤容器の開封具。
【考案の詳細な説明】
【技術分野】
【０００１】
本考案は、薬剤が封入されている薬剤容器を開封する際に使用する薬剤容器の開封具に関するものである。
【背景技術】
【０００２】
現在、病院等の医療施設において患者に薬剤を投与する際には、その薬剤を点滴によって患者に投与することが広く行なわれている。
【０００３】
このように点滴によって投与される薬剤の多くは、図９に示したように、粉末状の薬剤Ａと液体状の薬剤Ｂとがそれぞれ別の容器に分離された状態で保管されており、使用する直前に両者を混ぜて、その混ぜた薬剤が患者に投与されている。
【０００４】
ここで、図９において、１０は粉末状の薬剤Ａの容器、１１は容器１０の封着用のキャップであり、２０は液体状の薬剤Ｂの容器、２１は容器２０の封着部材、２２は封着部材２１の開封用のプルアップリングである。
【０００５】
看護士等の使用者が、このような薬剤を患者に点滴する場合には、先ず、図１０に示したように、容器１０からキャップ部材１１を外して容器１０を密閉しているゴム栓１５を露出させ、容器２０から封着部材２１を外して容器２０を密閉しているゴム栓２５を露出させる。
【０００６】
次に、図１１（ａ）に示したように、両頭針３０を用いて、容器１０と容器２０の内部を連通させて、適量の液体状の薬剤Ｂを容器１０内に移し、粉末状の薬剤Ａを全て溶かした後、その薬剤Ａが薬剤Ｂに溶けている液体を容器２０内に回収する。その後、図１１（ｂ）に示したように両頭針３０を容器２０から外して、この容器２０に図１２に示したように、点滴用チューブ４０を接続して、薬剤Ａが溶けている薬剤Ｂを患者に投与する。
【０００７】
以上のようにして、患者に対する薬剤の投与が行なわれている。
【０００８】
以上のような一連の作業においては、図５（ａ）に示したような容器１０からキャップ部材１１を外す作業と、図５（ｂ）に示したような容器２０から封着部材２１を外す作業、即ち連続部２３で接続されているプルアップリング２２を用いて封着部材２１を外す作業とは、必須の作業となっている。
【０００９】
このような薬剤容器の開封作業は、従来から看護士等の使用者の手によって行なわれていた。
【考案の概要】
【考案が解決しようとする課題】
【００１０】
しかしながら、病院のような患者が多い場合には、短時間のうちに多数の薬剤容器の開封作業を行なうために、この開封作業する使用者の指先を痛めてしまうという問題点があった。
【課題を解決するための手段】
【００１１】
以上の問題点を解消するために、本考案の第１の手段は、略長方形の板状の本体の長手方向の一端側に、薬剤容器に封着されているキャップ部材を外す栓抜き部を構成する開口部と、該開口部の内側に向って突設された突起部であって前記キャップ部材の下端部に当接可能な突起部とが形成され、前記本体の他端側に、薬剤容器の封着部材に具えられている開封用のプルアップリングと結合するフック部が形成されていることを特徴とするものである。ここで、前記本体に形成されている前記フック部は複数個であってもよい。
【００１２】
また、本考案の第２の手段は、略長方形の板状の本体の長手方向の一端側に、薬剤容器に封着されているキャップ部材を外す栓抜き部を構成する開口部と、該開口部の内側に向って突設された突起部であって前記キャップ部材の下端部に当接可能な突起部とが形成され、前記本体の他端側に、薬剤容器の封着部材に具えられている開封用のプルアップリングの内側に挿入可能なリング挿入部が前記本体の長手方向に延在するように形成されていることを特徴とするものである。
【００１３】
さらに、本考案の第３の手段は、略長方形の板状の本体の長手方向の一端側に、薬剤容器に封着されているキャップ部材を外す栓抜き部を構成する開口部と、該開口部の内側に向って突設された突起部であって前記キャップ部材の下端部に当接可能な突起部とが形成され、前記本体の他端側に、薬剤容器の封着部材に具えられている開封用のプルアップリングと前記封着部材との連結部が挿入可能な溝部を有するリング係合部が形成されていることを特徴とするものである。
【００１４】
なお、前述した第１，第２，第３の手段においては、前記本体には、板状の磁石が配設されていてもよい。
【考案の効果】
【００１５】
本考案によれば、使用者の指先を痛めることなく薬剤容器の開封作業を行なうことができる。
【図面の簡単な説明】
【００１６】
【図１】本考案の実施例１の構成を示す構成図である。
【図２】本考案の実施例１の動作説明図である。
【図３】本考案の実施例１の動作説明図である。
【図４】本考案の実施例１の構成の説明図である。
【図５】本考案の実施例２の構成を示す構成図である。
【図６】本考案の実施例２の動作説明図である。
【図７】本考案の実施例３の構成を示す構成図である。
【図８】本考案の実施例３の動作説明図である。
【図９】薬剤容器の構成を示す斜視図である。
【図１０】薬剤容器の使用方法の説明図である。
【図１１】薬剤容器の使用方法の説明図である。
【図１２】薬剤容器の使用方法の説明図である。
【図１３】薬剤容器の使用方法の説明図である。
【考案を実施するための形態】
【００１７】
以下、図面を用いて本考案の実施例について説明する。
【実施例１】
【００１８】
図１は本考案の実施例１の構成を示す構成図であり、（ａ）は斜視図、（ｂ）は平面図である。
【００１９】
図１（ａ），（ｂ）に示したように、本実施例１の本体５０は、略長方形の板状に形成されている。ここで、この本体５０の形状は、使用者が手で握ることができるように一方向に長い、即ち長手方向を有する略長方形の板状に形成されていればよく、厳密に長方形である必要はない。
【００２０】
本体５０の長手方向の一端側には、薬剤容器に封着されているキャップ部材を外すための栓抜き部６０が形成されている。この栓抜き部６０は、開口部６１と、この開口部６１の内側に向かって突設されている突起部６２とによって構成されている。この突起部６２は、キャップ部材を外す際に、キャップ部材の下端部に当接可能となるような形状に形成されている。
【００２１】
また、本体５０の長手方向の他端側には、薬剤容器の封着部材の開封用のプルアップリングと係合するフック部７０が形成されている。
【００２２】
８０は、本体５０に配設されている板状の磁石である。本実施例１を使用していない時に、この磁石８０によって本体５０を、薬剤容器の保管用ロッカーの壁面等に固定しておけば、本実施例１を不用意に紛失することを防ぐことができる。
【００２３】
以上のように構成された本実施例１によれば、図２（ａ），（ｂ）に示したように、薬剤容器１０に封着されているキャップ部材１１を、栓抜き部６０を用いて、ビール瓶や醤油瓶の王冠を抜く動作と同様の動作によって簡単に外すことができる。
【００２４】
また、プルアップリングを用いて開封作業を行なうような薬剤容器の場合には、図７（ａ），（ｂ）に示したように、本体５０のフック部７０をプルアップリング２２に引っ掛けて、プルアップリング２２を上方に引っ張れば、薬剤容器２０に封着されている封着部材２１を容易に外すことができる。
【００２５】
なお、プルアップリング２２を引っ掛けるフック部７０は、図１に示したように本体５０に１個だけ形成されていてもよいし、図４（ａ）〜（ｅ）に示したように本体５０に複数個形成されていてもよい。さらに、このフック部７０の形状も、図４（ａ）〜（ｅ）に示したようにどのような形状であっても、本考案の効果を得ることができる。
【実施例２】
【００２６】
図５は本考案の実施例２の構成を示した構成図であり、（ａ）は斜視図、（ｂ）は平面図である。
【００２７】
図５に示した本実施例２において、先に説明した実施例１と異なるところは、フック部７０の代わりに、リング挿入部７１が形成されているところであり、その他の構成は実施例１と同様であるので、その説明は省略する。
【００２８】
図５に示した本実施例２のリング挿入部７１は、プルアップリングの内側に挿入可能となるように本体５０の長手方向に延在するように形成されている。ここで、７１ａはリング挿入部の先端部に形成されたリング係止部である。このリング係止部７１ａは、開封作業の途中で、プルアップリングがリング挿入部７１から容易には外れないようにするために設けられているものである。
【００２９】
以上のように構成された本実施例２によれば、図６（ａ），（ｂ）に示したように本体５０のリング挿入部７１をプルアップリング２２の内側に差し込んでプルアップリング２２を引っ掛けた状態にしてプルアップリング２２を上方に引き上げることにより、薬剤容器２０に封着されている封着部材２１を容易に外すことができる。
【実施例３】
【００３０】
図７は本考案の実施例３の構成を示した構成図であり、（ａ）は斜視図、（ｂ）は平面図である。
【００３１】
図７に示した本実施例３が、先に説明した実施例１と異なるところは、フック部７０の代わりに、溝部７２ａを有するリング係合部が形成されているところであり、その他の構成は実施例１と同様であるのでその説明は省略する。
【００３２】
図７に示したリング係合部７２の溝部７２ａは、プルアップリングと封着部材との連結部が挿入可能となるように形成されている。
【００３３】
以上のように構成された本実施例３によれば、図８（ａ），（ｂ）に示したように、プルアップリング２２と封着部材２１との連結部２３を溝部７２ａに差し込んだ状態で、プルアップリング２２をリング係合部７２で引き上げることにより、薬剤容器２０に封着されている封着部材２１を容易に外すことができる。
【符号の説明】
【００３４】
１０，２０  薬剤容器
１１  キャップ部材
１５，２５  ゴム栓
２１  封着部材
２２  プルアップリング
２３  連結部
３０  両頭針
４０  点滴用チューブ
５０  本体
６０  栓抜き部
６１  開口部
６２  突起部
７０  フック部
７１  リング挿入部
７１ａ  リング係止部
７２  リング係合部
７２ａ  溝部
Ａ，Ｂ  薬剤
【図１】
0003153404.tif 000003
【図２】
0003153404.tif 000004
【図３】
0003153404.tif 000005
【図４】
0003153404.tif 000006
【図５】
0003153404.tif 000007
【図６】
0003153404.tif 000008
【図７】
0003153404.tif 000009
【図８】
0003153404.tif 000010
【図９】
0003153404.tif 000011
【図１０】
0003153404.tif 000012
【図１１】
0003153404.tif 000013
【図１２】
0003153404.tif 000014
【図１３】
0003153404.tif 000015